(57)【要約】【課題】本開示は、蓋体回転時に発生する応力に対する耐久性が高い洗濯機を提供する。【解決手段】本発明における洗濯機は、洗濯機本体１の上部に配設されたトップカバー２と、トップカバー２に形成された衣類投入口５と、衣類投入口５の上部を開閉自在に覆う蓋体３と、蓋体３を回動自在に支持する軸受体８とを備える。トップカバー２の上面には、軸受体８が挿入されるトップカバー空間１４が形成されており、軸受体８は、トップカバー空間１４に挿入される側の第一の面２２と、トップカバー空間１４に挿入される側の面よりも高い位置に形成された第二の面２３とにおいて、トップカバー２に対してネジ１２にて止められる。これにより、軸受体８の剛性が向上し、かつトップカバー空間１４と軸受体８の接触する表面積が増加する。そのため、蓋体３の回転時に発生する応力を分散させ、応力集中によるトップカバー２及び軸受体８の破損を防ぐことができる。【選択図】図５
2020188971.tif 000002
【特許請求の範囲】
【請求項１】
筐体と、前記筐体の上部に配設されたトップカバーと、前記トップカバーに形成された投入口と、前記投入口の上部を開閉自在に覆うように配設された蓋体と、前記蓋体を回動自在に支持する軸受体と、を備え、
前記トップカバーの上面には、前記軸受体が挿入される空間が形成されており、
前記軸受体は、前記空間に挿入される側の面と、前記空間に挿入される側の面よりも高い位置に形成された面と、において、前記トップカバーに対してネジ止めされる、洗濯機。
【請求項２】
前記蓋体の回動運動を減衰させるダンパーを備え、前記ダンパーに設けられた軸は、前記軸受体に形成された軸穴に嵌合されている、請求項１に記載の洗濯機。
【請求項３】
前記蓋体は、後方の左右両側部で支持されており、
左右両側部の一方には前記ダンパーが設けられ、他方には前記軸穴に貫入される回動軸が設けられている、請求項１又は２に記載の洗濯機。
【請求項４】
前記空間は、前記ダンパーが設けられた側と、前記回動軸が設けられた側と、で異なる位置にリブが形成されており、前記ダンパーが設けられた側の前記軸受体、及び前記回動軸が設けられた側の前記軸受体は、前記リブと対応する位置に、溝が形成されている、請求項３に記載の洗濯機。
【発明の詳細な説明】
【技術分野】
【０００１】
本発明は、蓋を備えた洗濯機に関する。
【背景技術】
【０００２】
特許文献１は、衣類投入口の上部を開閉自在に覆うように配設された蓋体を備えた洗濯機を開示する。
【０００３】
特許文献１における洗濯機は、筐体と、筐体の上部に配設されたトップカバーと、前記トップカバーに形成された衣類投入口と、衣類投入口の上部を開閉自在に覆うように配設された蓋体と、蓋体を回動自在に支持する蓋蝶番軸受と、一端を蓋蝶番軸受に軸支された蓋体の回転を減衰する回転式の衝撃緩和ダンパーを備える。蓋蝶番軸受は、ネジにてトップカバーに締結固定されている。
【先行技術文献】
【特許文献】
【０００４】
【特許文献１】特開２０１８−３８４６７号公報
【発明の概要】
【発明が解決しようとする課題】
【０００５】
しかしながら、前記従来の蓋蝶番軸受では、蓋体回転時に、蓋蝶番軸受を締結固定するネジ止め周辺に応力が集中し、トップカバーおよび蓋蝶番軸受が破損する虞があった。
【０００６】
本開示は、蓋体回転時に発生する応力に対する耐久性が高い洗濯機を提供する。
【課題を解決するための手段】
【０００７】
本開示における洗濯機は、筐体と、前記筐体の上部に配設されたトップカバーと、前記トップカバーに形成された投入口と、前記投入口の上部を開閉自在に覆うように配設された蓋体と、前記蓋体を回動自在に支持する軸受体と、を備える。また、前記トップカバーの上面には、前記軸受体が挿入される空間が形成されており、前記軸受体は、前記空間に挿入される側の面と、前記空間に挿入される側の面よりも高い位置に形成された面と、において、前記トップカバーに対してネジ止めされる。
【発明の効果】
【０００８】
本開示における洗濯機は、蓋体回転時に発生する応力に対する耐久性が高い。
【図面の簡単な説明】
【０００９】
【図１】実施の形態１における洗濯機の蓋体が閉じた状態の外観斜視図
【図２】同洗濯機の蓋体が開いた状態の外観斜視図
【図３】同洗濯機の蓋体の開閉状態を示す側面図
【図４】同洗濯機の蓋体周りの構造を示す分解斜視図
【図５】同洗濯機の蓋体の軸受体周囲の構造を示す縦断面図
【図６】同洗濯機の蓋体の軸受体周囲の構造を示す下から見た横断面図
【図７】同洗濯機の蓋体の軸受体周囲で発生する応力を示す模式図
【発明を実施するための形態】
【００１０】
以下、実施の形態について、図面を参照しながら説明する。また、この実施の形態によって本発明が限定されるものではない。
【００１１】
（実施の形態１）
図１は、実施の形態１における洗濯機の蓋体が閉じた状態の外観斜視図、図２は、同洗濯機の蓋体が開いた状態の外観斜視図である。
【００１２】
図１及び図２に示すように、洗濯機本体１の上部にはトップカバー２が配設されており、トップカバー２の上面には衣類投入口５が形成されている。衣類投入口５から投入された衣類は、洗濯機本体１の内部に配設された洗濯槽６に収容される。蓋体３は、衣類投入口５の上方を覆うように開閉自在に設けられている。蓋体３周りの詳細構造は、後述する。
【００１３】
蓋体３の後方には、各種の入力設定を行ない、設定内容を表示する操作表示部４が配設されている。操作表示部４の下方には、洗濯機の運転制御を行う制御装置（図示せず）が配設されている。
【００１４】
続いて、蓋体３周りの詳細構造を説明する。
【００１５】
図３は、実施の形態１における洗濯機の蓋体の開閉状態を示す側面図である。
【００１６】
図３に示すように、蓋体３の後方左右端部で軸支されている。蓋体３は、蓋ヒンジ軸を回動中心として、閉塞状態ＬＯの位置から略垂直に開いた位置である開放状態ＬＨの位置まで、回動可能に構成されている。蓋体３を開放状態ＬＨから閉じる時には、Ｌ１の位置を過ぎてから、後述するダンパー構造により回転動作を緩和させ、急激な衝撃を蓋体３に与えないでＬＯ位置に閉じる。
【００１７】
図４は、実施の形態１における洗濯機の蓋体周りの構造を示す分解斜視図である。
【００１８】
図４に示すように、蓋体３の後方右部には、右方向に延伸するように形成された回動軸２１が形成されている。また、蓋体３の後方左部にはダンパー構造が配設されている。ダンパー構造は、蓋体３に形成された蓋体空間１３と、蓋体空間１３に収容されるダンパー保持体１０と、ダンパー保持体１０により保持されるダンパー９により構成されている。ダンパー９は、左方向に延伸するように形成された略四角柱形状のダンパー軸９ａと、回転動作を緩和させる内部構造を備えている。また、ダンパー構造の前面はカバー体１１により覆われており、外部から蓋体空間１３の内部構造が見えないようになっている。
【００１９】
また、トップカバー空間１４ａ及びトップカバー空間１４ｂは、トップカバー２の後方上面の左右に窪みとして形成されている。トップカバー空間１４ａはトップカバー２の後方左部に、トップカバー空間１４ｂはトップカバー２の後方右部にそれぞれ配置されており、それぞれ対応する軸受体８ａ又は軸受体８ｂが挿入される。軸受体８ａはダンパー９と係合し、軸受体８ｂは回動軸２１と遊嵌することで、蓋体３を回動自在に支持する。
【００２０】
図５は、実施の形態１における洗濯機の蓋体の軸受体周囲の構造を示す縦断面図である。
【００２１】
図５に示すように、軸受体８の下部はトップカバー空間１４と緩く嵌合するように形成されている。ここでは、ダンパー構造側に配置される軸受体８ａについて説明する。軸受体８ａの上部には略四角形状の軸受穴２０ａが形成されており、軸受穴２０ａにはダンパー軸９ａが挿入されている。なお、回動軸２１側に配置される軸受体８ｂは、軸受穴２０ａの代わりに円形の貫通孔である軸受孔２０ｂが形成されており、軸受孔２０ｂには回動軸２１が遊嵌している。
【００２２】
軸受体８ａの下部は、後方の面である第一の面２２が、前方の面である第二の面２３よりも低くなるように段差状に形成されている。第一の面２２と第二の面２３の段差である第三の面２４は、第一の面２２及び第二の面２３に対して垂直に形成されている。なお、軸受体８ｂの下部も、軸受体８ａと同様に段差状に形成される。
【００２３】
第一の面２２の側面下部には係合凹部１７が形成されており、トップカバー空間１４ａにおいて係合凹部１７と嵌合する位置には係合爪１５が形成されている。係合爪１５は、軸受体８ａがトップカバー空間１４に挿入される際に係合凹部１７と係合し、軸受体８ａをトップカバー空間１４ａに対して仮固定する。また、第二の面２３及び第一の面２２にはネジ穴１９がそれぞれ形成されており、軸受体８ａはネジ穴１９においてネジ１２により下方からネジ止めされている。なお、軸受体８ｂの下部も、軸受体８ａと同様に係合爪１５により仮止めされ、第二の面２３及び第一の面２２において下方よりネジ止めされている。
【００２４】
図６は、実施の形態１における洗濯機の蓋体の軸受体周囲の構造を示す下から見た横断面図である。
【００２５】
図６に示すように、トップカバー空間１４ａ及びトップカバー空間１４ｂの側面には、上下に形成されたリブ１６が設けられており、軸受体８ａ及び軸受体８ｂには、リブ１６が挿入されるように形成された溝１８が設けられている。トップカバー２の後方左部に形成されたトップカバー空間１４ａには、左側側面にリブ１６が形成されている一方、トップカバー２の後方右部に形成されたトップカバー空間１４ｂは、右側側面にリブ１６が形成されている。従って、回動軸２１側に配置される軸受体８ｂをダンパー構造側のトップカバー空間１４ａに挿入しようとしても嵌合しない。これにより、軸受体８をトップカバー空間１４に取り付ける際に、ダンパー構造側の軸受体８ａと回動軸２１側の軸受体８ｂを取り違えることを抑止できるため、取り付け工程における作業性を向上できる。
【００２６】
また、本実施の形態のように、軸受体８ｂの左側側面に第２の溝２５を設けてもよい。これにより、ダンパー構造を設けない機種を製造する際に、軸受体８ａの代わりに軸受体８ｂをトップカバー空間１４ａに挿入することが可能となるため、部品の共通化を実現することができる。ただし、第２の溝２５を設けない方が、ダンパー構造側の軸受体８ａと回動軸２１側の軸受体８ｂを取り違えることを抑止する効果は高い。
【００２７】
以上の構成について、以下、動作を説明する。
【００２８】
図７は、実施の形態１における洗濯機の蓋体の軸受体周囲で発生する応力を示す模式図である。
【００２９】
図７に示すように、蓋体３が重力により閉じる向きに動く際、矢印Ａ向きの回転モーメントが生じる。この時、ダンパー軸９ａが非円形形状であるため、軸受体８ａに対して固定点であるネジ１２の締結部を中心に大きな応力が発生する。
【００３０】
しかしながら、本実施の形態における軸受体８ａは、高さの異なる第一の面２２及び第二の面２３にネジ１２による締結部を設けているため、応力が蓋体落下荷重の作用面２６（破線）の全体に分散する。
【００３１】
また、本実施の形態における軸受体８ａは、トップカバー２と別部品で構成されているため、材料を自由に選定することができる。従って、蓋体の自然落下による回転モーメントが大きい時は剛性の高い材料を選定したり、円柱状の回転軸を有する時は剛性の低い材
料を選定したりできる。
【００３２】
以上のように、実施の形態１における洗濯機は、洗濯機本体１と、洗濯機本体１の上部に配設されたトップカバー２と、トップカバー２に形成された衣類投入口５と、衣類投入口５の上部を開閉自在に覆うように配設された蓋体３と、蓋体３を回動自在に支持する軸受体８と、を備える。トップカバー２の上面には、軸受体８が挿入される空間が形成されており、軸受体８は、トップカバー空間１４に挿入される側の第一の面２２と、空間に挿入される側の面よりも高い位置に形成された第二の面２３と、において、トップカバー２に対してネジ止めされる。
【００３３】
これにより、軸受体８の剛性が向上し、かつトップカバー空間１４と軸受体８の接触する表面積が増加し、蓋体３の回転時に発生する応力を分散させることができる。そのため応力集中によるトップカバー２及び軸受体８の破損を防ぐことができる。
【００３４】
本実施の形態のように、蓋体３の回動運動を減衰させるダンパー９を備え、ダンパー９に設けられたダンパー軸９ａは、軸受体８ａに形成された非円形状の軸受穴２０ａに嵌合されているようにしてもよい。
【００３５】
これにより、蓋体３の自然落下による回転モーメントが発生した際に、軸受体８ａのネジ締結部近傍において発生する応力を分散させることができる。そのため、応力集中によるトップカバー２及び軸受体８の破損を防ぐことができる。
【００３６】
本実施の形態のように、蓋体３は、後方の左右両側部で支持されており、左右両側部の一方にはダンパー９が設けられ、他方には軸受穴２０ａと遊嵌する回動軸２１が設けられているようにしてもよい。
【００３７】
本実施の形態のように、トップカバー空間１４ａ及びトップカバー空間１４ｂは、ダンパー９が設けられた側と、回動軸２１が設けられた側と、で異なる位置にリブ１６が形成されており、ダンパー９が設けられた側の軸受体８ａ、及び回動軸２１が設けられた側の軸受体８ｂは、リブ１６と対応する位置に、溝１８が形成されているようにしてもよい。
【００３８】
これにより、ダンパー９が設けられた側の軸受体８ａはトップカバー空間１４ｂに挿入することができず、回動軸２１が設けられた側の軸受体８ｂはトップカバー空間１４ａに挿入することができない。そのため、ダンパー９と係合する軸受体８ａと、回動軸２１と遊嵌する軸受体８ｂと、を左右取り違えて固定することを抑止できるので、取り付け工程における作業性を向上できる。
【００３９】
（他の実施の形態）
以上のように、本出願において開示する技術の例示として、実施の形態１を説明した。しかしながら、本開示における技術は、これに限定されない。
【００４０】
そこで、以下、他の実施の形態を例示する。
【００４１】
実施の形態１では、洗濯機の一例として、縦型洗濯機を説明した。洗濯機は、上方に開口する衣類投入口を備えた洗濯機であればよいので、縦型洗濯機に限定せず、二槽式洗濯機であってもよい。また、筐体とトップカバーは一体成型であってもよい。
【００４２】
実施の形態１では、回動軸２１の一例として、蓋体３と一体成型で形成された回動軸２１を説明した。回動軸２１は、軸受孔２０ｂと遊嵌していればよいので、一体成型であっても別部品であってもよい。
【００４３】
実施の形態１では、ダンパー構造の配置の一例として、蓋体３の後方左部に設けられたダンパー構造を説明した。ダンパー構造は、蓋体３の回動運動を減衰させる構成であればよいので、配置は後方左部に限定しない。例えば、蓋体３の後方右部に設けてもよいし、蓋体３の後方両側部に設けてもよい。
【００４４】
実施の形態１では、トップカバー空間１４ａ及びトップカバー空間１４ｂにリブ１６を形成し、軸受体８ａ及び軸受体８ｂに溝１８を形成する構成を説明した。リブ１６と溝１８は、配置関係を逆にしてもよく、トップカバー空間１４ａ及びトップカバー空間１４ｂに溝１８を形成し、軸受体８ａ及び軸受体８ｂにリブ１６を形成してもよい。ただし、トップカバー空間１４ａ及びトップカバー空間１４ｂにリブ１６を形成する構成の方が、トップカバー空間１４ａ及びトップカバー空間１４ｂの壁面を肉薄に形成することができる。
【産業上の利用可能性】
【００４５】
本開示は、開閉自在な蓋体を備えた機器に適用可能である。具体的には、縦型洗濯機、二槽式洗濯機などに、本開示は適用可能である。
【符号の説明】
【００４６】
１  洗濯機本体
２  トップカバー
３  蓋体
４  操作表示部
５  衣類投入口
６  洗濯槽
８  軸受体
８ａ  軸受体
８ｂ  軸受体
９  ダンパー
９ａ  ダンパー軸
１０  ダンパー保持体
１２  ネジ
１３  蓋体空間
１４  トップカバー空間
１４ａ  トップカバー空間
１４ｂ  トップカバー空間
１５  係合爪
１６  リブ
１７  係合凹部
１８  溝
１９  ネジ穴
２０ａ  軸受穴
２０ｂ  軸受孔
２１  回動軸
２２  第一の面
２３  第二の面
２４  第三の面
２５  第２の溝
２６  蓋体落下荷重の作用面
【図１】
2020188971.tif 000003
【図２】
2020188971.tif 000004
【図３】
2020188971.tif 000005
【図４】
2020188971.tif 000006
【図５】
2020188971.tif 000007
【図６】
2020188971.tif 000008
【図７】
2020188971.tif 000009